(57)【要約】【課題】作業者が簡単に設置でき、不使用時はコンパクトに収納でき、十分な高さを確保した遮光空間を構築する日よけを提供する。【解決手段】地面から伸びる固定物（２２）に固定された日よけ（１）であって、一方端が固定物に固定され、所定空間に伸張可能なシェード（１４）と、第１端（１１ａ）または第１端近傍部分がシェード（１４）の他方端に固定され、第１端（１１ａ）の他方端である第２端（１２ｂ）がシェードの一方端が固定された面（２２）と交差する面（２３）に固定されるアーム（１０）とを備え、第２端（１２ｂ）を支点として、アーム（１０）を固定物（２２）のシェード（１４）が固定された位置から離れる方向に回動させることにより、シェード（１４）が伸張される日よけ（１）。【選択図】図１
2020070546.tif 000002
【特許請求の範囲】
【請求項１】
地面から伸びる固定物に固定された日よけであって、
一方端が前記固定物に固定され、所定空間に伸張可能なシェードと、
第１端または第１端近傍部分が前記シェードの他方端に固定され、前記第１端の他方端である第２端が前記シェードの一方端が固定された面と交差する面に固定されるアームとを備え、
前記第２端を支点として、アームを前記固定物の前記シェードが固定された位置から離れる方向に回動させることにより、前記シェードが伸張されることを特徴とする日よけ。
【請求項２】
請求項１に記載の日よけであって、
前記固定物は、建築物の壁面であり、
前記シェードの一方端は、前記建築物の壁面に固定されていることを特徴とする日よけ。
【請求項３】
請求項１または２に記載の日よけであって、
前記アームの第２端が固定される面は、水平面であることを特徴とする日よけ。
【請求項４】
請求項１から３の何れか一項に記載の日よけであって、
前記アームの第２端が固定される面は、地面であることを特徴とする日よけ。
【請求項５】
請求項１から３の何れか一項に記載の日よけであって、
前記アームの第２端が固定される面は、地面上に形成された床であることを特徴とする日よけ。
【請求項６】
請求項１から５の何れか一項に記載の日よけであって、
前記シェードの一方端は、前記固定物の側面に巻回自在に設置された軸体に固定されており、前記シェードは、前記軸体に巻き取られることを特徴とする日よけ。
【請求項７】
請求項１から６の何れか一項に記載の日よけであって、
前記アームは、前記第１端から屈曲する角部を介して前記第２端に延びており、
前記角部が、前記アームの第２端が固定される面に到達するまで、前記アームを回動させて前記シェードを伸張することを特徴とする日よけ。
【請求項８】
請求項７に記載の日よけであって、
前記角部は、略９０度に屈曲されていることを特徴とする日よけ。
【請求項９】
請求項８に記載の日よけであって、
前記アームの前記第１端から前記角部までの長さＬ１と、前記角部から前記第２端までの長さＬ２との和は、前記シェードの伸張される長さに略等しいことを特徴とする日よけ。
【請求項１０】
請求項７から９の何れか一項に記載の日よけであって、前記アームの第２端が固定される面には、前記アームが回動された時に、前記アームの前記第１端から前記角部までが格納される溝部を備えることを特徴とする日よけ。
【請求項１１】
請求項１または２に記載の日よけであって、
前記アームは、前記第１端から屈曲する角部を介して前記第２端に延びており、
前記シェードの他方端は、前記アームの角部に固定されていることを特徴とする日よけ。
【発明の詳細な説明】
【技術分野】
【０００１】
本発明は、建築物の窓等の開口部に設けられた日よけに関する。
【背景技術】
【０００２】
従来、住宅の窓等の開口部付近について、開口部への日差しや雨の入射を遮るための日よけが設けられてきた。冬季等、日差しを屋内に取り入れたい時期は日よけが不要となるため、必要に応じて出し入れできる日よけが求められている。したがって、日よけが必要な時は、布製のシェードを張り出す形の日よけが一般的に用いられている。
【０００３】
例えば、特許文献１に示されるように、住宅等の建築物の壁面に固定された日よけは、不使用時はキャンバス布製のシェードが、ローラ等の巻取部によって巻き取られた状態で窓上の壁面に格納されている。そして、一方が壁面（窓枠）に固定され、他方が壁面に対して回動可能なアームを備えている。そして、この回動可能なアームの他方端にはシェードが固定されており、このアームを回動することにより、アームの他方端に固定されたシェードが引き出され、窓の上に日よけを作る構造となっている。
【０００４】
特許文献１に示される日よけの場合、アームが建築物の壁面に固定されており、かつアームの回動によってシェードを引き出す構成となっているため、遮光できる最大領域は、壁面からアームの長さ分だけである。ここで、アームの長さを長くすれば遮光できる領域は広くなるが、次のような問題がある。すなわち、アームの支点は、アームの長さ分だけローラから離れた位置となる。アームが長くなるほど、アームの支点、すなわち建築物の壁面に固定される端部が窓の下方に移動することになるため、日よけを引き出すと、窓の大部分が日よけで隠れることになる。
【０００５】
また、シェードは、巻取部からアームの他方端までを斜めに渡るようになるため、シェードによって覆われる空間は、天井部が斜めとなった空間になる。したがって、仮にアームが長くなったとしても、窓の大部分がシェードで隠れ、シェードが斜めに張り出した状況となるため、窓からの眺望は確保されない。加えて、アームにかかる負荷と、壁面に固定されたアームが耐えられる力との関係によって、アームの長さには限界がある。
【０００６】
一方で、掃き出し窓等から連続してデッキ等を設け、オープンエアスペースにし、このオープンエアスペースも生活空間とする住宅構造も見受けられる。特許文献１に示されるような日よけでは、天井部が斜めとなり、低くなってしまうため、このようなオープンスペースには適さない。
【０００７】
オープンスペースに対する日よけとして、傘部分が大きなパラソル等をオープンスペースの床（もしくは地面）に固定する形態も考えられる。パラソルの傘部分を開くことにより日よけとなるわけであるが、傘で覆われる空間を広くするためには、パラソルをオープンスペースの中央に配置するのが効率的である。しかしながら、中央にパラソルを配置することにより、オープンスペースの空間がパラソルによって分断されることにより、空間用途に制限が生じることになる。また、人が手動で傘部分を開閉することになるため、傘の大きさは、人が開閉できる範囲に制限される。結果、遮光できる面積にも限界がある。また、床部分にパラソルを固定した場合、不使用時も床部分からパラソルが突き出た状態となり、空間利用の妨げとなる。
【０００８】
掃き出し窓等から続くデッキ等、生活空間として使用されるオープンエアスペース等は、ある程度の広さを必要としており、ある程度の広さ及び高さを有する空間全体を覆うことができる日よけが求められている。一方で、日よけを使用しない時は、日よけを構成する物の一部が、オープンエアスペースの空間利用の障害となるような状況は避けることが望ましい。また、人が手動で設置する上で、できるだけ少ない力で簡単に設置できることが望ましい。
【０００９】
このような従来の日よけの問題から、広い空間を十分な高さを確保して覆うことができ、不使用時はコンパクトに格納でき、少ない力で簡単に設置できる日よけが求められている。
【先行技術文献】
【特許文献】
【００１０】
【特許文献１】特開２０１２−０７２５８１号公報
【発明の概要】
【発明が解決しようとする課題】
【００１１】
そこで本発明は、上記従来の問題点に鑑みなされたものであり、作業者が簡単に設置でき、不使用時はコンパクトに収納でき、十分な高さを確保した遮光空間を構築する日よけを提供することを目的とする。
【課題を解決するための手段】
【００１２】
上記課題を解決するために、本発明の日よけは、地面から伸びる固定物に固定された日よけであって、一方端が固定物に固定され、所定空間に伸張可能なシェードと、第１端または第１端近傍部分がシェードの他方端に固定され、第１端の他方端である第２端がシェードの一方端が固定された面と交差する面に固定されるアームとを備え、第２端を支点として、アームを固定物のシェードが固定された位置から離れる方向に回動させることにより、シェードが伸張されることを特徴とする。
【００１３】
また、本発明の一態様では、固定物は、建築物の壁面であり、シェードの一方端は、建築物の壁面に固定されている。
【００１４】
また、本発明の一態様では、アームの第２端が固定される面は、水平面である。
【００１５】
また、本発明の一態様では、アームの第２端が固定される面は、地面である。
【００１６】
また、本発明の一態様では、アームの第２端が固定される面は、地面上に形成された床である。
【００１７】
また、本発明の一態様では、シェードの一方端は、固定物の側面に巻回自在に設置された軸体に固定されており、シェードは、軸体に巻き取られる。
【００１８】
また、本発明の一態様では、アームは、第１端から屈曲する角部を介して第２端に延びており、角部が、アームの第２端が固定される面に到達するまで、アームを回動させてシェードを伸張する。
【００１９】
また、本発明の一態様では、角部は、略９０度に屈曲されている。
【００２０】
また、本発明の一態様では、アームの第１端から角部までの長さＬ１と、角部から第２端までの長さＬ２との和は、シェードの伸張される長さに略等しい。
【００２１】
また、本発明の一態様では、アームの第２端が固定される面には、アームが回動された時に、アームの第１端から角部までが格納される溝部を備える。
【００２２】
また、本発明の一態様では、アームは、第１端から屈曲する角部を介して第２端に延びており、シェードの他方端は、アームの角部に固定されている。
【発明の効果】
【００２３】
本発明では、人が簡単に設置でき、不使用時はコンパクトに収納でき、十分な高さを確保した遮光空間を構築する日よけを提供することができる。
【図面の簡単な説明】
【００２４】
【図１】第１実施形態における日よけ１を示す斜視図である。
【図２】図１の日よけ１のシェード１４を張り出した状態の側面図である。
【図３】図１の日よけ１のシェード１４を格納した状態を示す斜視図である。
【図４】図３の日よけ１のシェード１４を格納した状態の側面図である。
【図５】第１実施形態におけるアーム１０の回動の様子を示す模式図であり、同図（ａ）はアーム１０の回動途中を示す模式的側面図であり、同図（ｂ）はアーム１０を回動させるため、作業者がアーム１０を動かす様子を示す模式的斜視図である。
【図６】図３の第２アーム部１２の第２端１２ｂの固定部分を示す図であり、同図（ａ）は、図３をＶＩ（ａ）−ＶＩ（ａ）線で切断した部分切断図であり、同図（ｂ）は図３をＶＩ（ｂ）−ＶＩ（ｂ）線で切断した部分切断図である。
【図７】第２実施形態の日よけ１を示す図であり、同図（ａ）はシェード１４格納状態の日よけ１を示す模式的斜視図であり、同図（ｂ）は、シェード１４を張り出した時の溝２４部分を示す模式的断面図である。
【図８】第３実施形態のアーム１０を示す模式的斜視図であり、同図（ａ）は一対のアーム１０と、両者の間に渡るバー１７とを示す模式的斜視図であり、同図（ｂ）は、シェード１４を張り出した時のシェード１４とアーム１０とバー１７を示す模式的部分斜視図であり、同図（ｃ）はシェード１４のバー１７に巻きつけられる他辺部分の模式的部分展開図である。
【図９】第４実施形態の日よけ１を示す側面図である。
【図１０】第５実施形態の日よけ１を示す側面図である。
【図１１】第６実施形態の日よけ１を示す側面図である。
【発明を実施するための形態】
【００２５】
（第１実施形態）
以下、本発明の実施の形態について、図面を参照して詳細に説明する。各図面に示される同一または同等の構成要素、部材、処理には、同一の符号を付すものとし、適宜重複した説明は省略する。
【００２６】
図１は、本実施形態の日よけ１を示す斜視図であり、日よけ１のシェード１４を張り出した状態を示す。図２は、図１の日よけ１のシェード１４を張り出した状態の側面図である。図３は、図１の日よけ１のシェード１４を格納した状態を示す斜視図である。図４は、図３の日よけ１のシェード１４を格納した状態の側面図である。
【００２７】
本実施形態の日よけ１は、住宅等の建築物の掃き出し窓２１等の開口部に設けられている。しかしながら、本発明の日よけ１は、このような開口部に近接した配置に限らず、壁面や鉛直方向に伸びるポール等の固定物に固定できる環境であれば、適用可能である。
【００２８】
日よけ１は、アーム１０と、このアーム１０を地面や床に固定する固定具１３と、キャンバス布製のシェード１４と、シェード１４を巻回するローラ１５と、ローラ１５及びシェード１４を格納するシェード格納部１６とを備えている。
【００２９】
本実施形態の日よけ１は、住宅等の建築物の掃き出し窓２１が設けられた壁２２に固定されている。また、詳細は後述するが、本建築物は、掃き出し窓２１から庭に連続するようにデッキ２３を備えており、日よけ１のアーム１０の一部はこのデッキ２３に固定されている。
【００３０】
アーム１０は、日よけ１で覆いたい領域、本実施形態ではデッキ２３で構成されるオープンエアスペースの両端にそれぞれ設けられており、壁２２に向かって左右一対で構成されている。
【００３１】
アーム１０は、スチール等、シェード１４を伸張した時にもシェード１４を十分に支持できる強度を有する材料で形成されている。本実施形態のアーム１０は、シェード１４側に接続される第１アーム部１１と、シェード１４が固定される面（本実施形態では壁２２）に交差する面（本実施形態ではデッキ２３の床）に固定される第２アーム部１２とが連続して構成されている。本実施形態では、１本のスチール棒を屈曲して第１アーム部１１と第２アーム部１２とを構成しているが、本発明はこれに限らず、２本のスチール棒をビス等で接合する形でアーム１０を構成してもよい。
【００３２】
また、アーム１０は、人が握りやすい形状をしており、本実施形態では、円柱状の棒（丸棒）となっている。太さは、人が握る上で適した程度であればよい。なお、本実施形態では丸棒としたが、本発明はこれに限らず、人が握りやすく、十分な強度を確保できれば、どのような形状であってもよい。また、持ち手の部分だけ人が握りやすい形になり、他の部分は角棒になっていてもよい。
【００３３】
第１アーム部１１は、第１端１１ａがシェード１４の一方端と接続されている。接続方法は紐で結びつける等、公知のいかなる方法であってもよい。第１アーム部１１の他方端である第２端１１ｂは、第２アーム部１２と連続している。詳細は後述するが、図２及び図４に示すように、第１アーム部１１の長さＬ１は、シェード１４格納時におけるアーム１０の固定面（本実施形態では、デッキ２３の床面）からシェード１４までの高さＨ１に多少短いだけである。
【００３４】
第２アーム部１２は、第１端１２ａが第１アーム部１１と連続しており、他方端である第２端１２ｂが固定具１３によってデッキ２３に固定されている。
【００３５】
図２に示すように、アーム１０が回転してシェード１４が引き出される長さＬ３は、第１アーム部１１の長さＬ１と第２アーム部１２の長さＬ２とを足した長さに略等しい。
【００３６】
図６は、図３の第２アーム部１２の第２端１２ｂの固定部分を示す図であり、同図（ａ）は、図３をＶＩ（ａ）−ＶＩ（ａ）線で切断した部分切断図であり、同図（ｂ）は図３をＶＩ（ｂ）−ＶＩ（ｂ）線で切断した部分切断図である。
【００３７】
図３及び図６に示すように、第２アーム部１２の第２端１２ｂの固定は、回動可能な固定であり、具体的には、図６第２端１２ｂはデッキ２３の床面と平行になるように直角に屈曲された屈曲部１２ｃを備えている。そして、デッキ２３の床からこの屈曲部１２ｃを乗り越え、再度デッキ２３の床に到達するトンネル状の固定具１３によって、屈曲部１２ｃはデッキ２３の床面に固定されている。アーム１０の回動時は、屈曲部１２ｃが固定具１３に摺接しながら回転する。
【００３８】
アーム１０の動きとシェード１４の伸張との関係については、詳細を後述する。
【００３９】
固定具１３は、アーム１０のデッキ２３側の端部（第２端）１２ｂをデッキ２３に固定するためのものである。本実施形態では、上述したように、第２アーム部１２の屈曲部１２ｃの左右に渡るトンネル状の固定具とした。固定具１３自体は、デッキ２３の床面に不図示のねじで固定されている。なお、アーム１０のデッキ２３側の固定はこの固定具１３による固定に限らず、公知の固定具による固定であればいかなるものであってもよい。例えば、固定具１３自体が回動可能な部分を有するものとし、この回動可能な部分をアーム１０の第２端１２ｂと接続し、アーム１０の回動時は、この回動可能な部分がアーム１０の動きに連動して回動するというものであってもよい。
【００４０】
シェード１４は、キャンバス布など、防水性があり風雨に対して耐久性がある布で形成されている。本実施形態のシェード１４は、長方形状であり、一辺が後述するローラ１５に固定され、対向する他辺が第１アーム部１１の第１端１１ａに固定されている。具体的には、シェード１４の他辺の両角部にそれぞれ、第１端１１ａが固定されている。角部には不図示の穴が開けられており、この穴に紐を通し、その紐を第１端１１ａに結びつけることによって固定されている。固定方法はこれに限らず公知の方法であればいかなる方法であってもよい。なお、本実施形態のシェード１４は、長方形状としたが、日よけ１で覆う領域の面積、形状に合わせて様々に構成されればよい。
【００４１】
図２、図４に示すように、ローラ（軸体）１５は、シェード格納部１６と一体構成で、壁２２の窓２１の上方に取り付けられている。ローラ１５は不図示の軸部材と軸部材周囲の保持部材とからなる円柱状の部材であり、シェード１４の一辺を固定している。本実施形態における固定は、シェード１４の一辺全体を保持部材で挟み込む形（不図示）としているが、本発明はこれに限らず、公知の固定方法であればよい。
【００４２】
ローラ１５は不図示の駆動機構によって軸部材を軸として回転し、この回転によってシェード１４を巻き取る。駆動機構は手動によるものでもよいし、電動によるものでもよい。このようにして、日よけ１不使用時は、シェード１４はローラ１５によって巻き取られた状態で格納される。図１に示すように、本実施形態では、日よけ１は、掃き出し窓２１から連続するデッキ２３部分を覆う構成としているため、ローラ１５は、窓２１よりも上方に設け、このローラ１５部分を起点として、シェード１４が引き出されてデッキ２３上に伸張されることとなる。
【００４３】
シェード格納部１６は、ローラ１５の上方で壁２２に固定されており、ローラ１５全体を上方から覆う構造となっている。シェード１４が引き出される上でのローラ１５との位置関係で余裕がある構造となっており、ローラ１５の回転及びシェード１４の引き出しは滑らかに行われる。
【００４４】
次に本実施形態の日よけ１のシェード１４を張り出す方法について具体的に説明する。図５は、アーム１０の回動の様子を示す模式図であり、同図（ａ）はアーム１０の回動途中を示す模式的側面図であり、同図（ｂ）はアーム１０を回動させるため、作業者がアーム１０を動かす様子を示す模式的斜視図である。
【００４５】
図５（ａ）及び（ｂ）に示すように、作業者は第２アーム部１２を把持して矢印Ａ方向に倒す。そうすると、第２アーム部１２は第２端１２ｂを支点として回動し、これに伴い第１アーム部１１も回動する。図５（ａ）に示すように、第１アーム部１１の第１端１１ａが壁２３から離れる方向に移動するため、第１端１１ａに固定されているシェード１４が引き出されることになる。図５（ｂ）に示すように、アーム１０の角部１０ａが作業者の胸元に来るまでアーム１０が傾くと、今度は、作業者は第１アーム部１１に持ち替えて、さらに矢印Ａ方向にアーム１０を回動させる。そして、角部１０ａがデッキ２３の床に到達するまで回動させる。
【００４６】
図２に示すように、角部１０ａがデッキ２３の床に到達すると、第２アーム部１２はデッキ２３の床にぴったりとつく状態となり、第１アーム部１１は、鉛直方向に立つようになる。このようにしてアーム１０が固定すると、シェード１４は、長さＬ３だけ張り出された状態で固定されることとなる。本実施形態では、アーム１０の重みでアーム１０は図２に示す状態に静止するのであるが、よりアーム１０の固定を強固にしたい場合は、何等かの固定具を角部１０ａ付近に設け、デッキ２３の床面に固定できるようにしてもよい。
【００４７】
また、アーム１０は左右一対の構成となっているが、作業者が力を加えるのは、どちらか一方だけでよい。一方のアーム１０を回動させると、それによって引っ張られるシェード１４につながるもう一方のアーム１０も引っ張られて、追従して回動することになる。したがって一方のアーム１０だけに力を加えればよいので、作業者は一人で簡単に日よけ１を張り出す作業ができる。
【００４８】
日よけ１が不要な時は、作業者は第１アーム部１１を把持し、矢印Ｂ方向に持ち上げるように、第２端１２ｂを支点として回動させる。アーム１０の角部１０ａが作業者の胸元あたりに来たら、第２アーム部１２に持ち替えて、第２アーム部１２が鉛直方向に立つ状態（図３、図４参照）まで回動させる。戻す時も同様に、一方のアーム１０を回動させれば、この動きに追従してもう一方のアーム１０も回動する。第２アーム部１２が鉛直方向に立つところまで回動させると、シェード１４は、シェード格納部１６付近にたくし寄せられた状態となっているため、ローラ１５を回転してシェード１４を格納する。これにより、シェード１４を格納する作業が完了する。
【００４９】
なお、シェード１４を格納する方法として、アーム１０を元の位置に戻してから、シェード１４の格納を行うとした。しかしながら、シェード１４の布が強固であれば、最初にローラ１５を回転し、シェード１４が巻き上げられる力を利用してアーム１０を元の位置に戻す形であってもよい。また、ローラ１５を自動運転で回転させ、電動でシェード１４を巻き上げるようにすれば、格納時に作業者は自動運転の作動スイッチを入れるだけでよい。
【００５０】
このように、Ｌ字状のアーム１０を第２アーム部１２の第２端１２ｂを支点としてシェード１４の一辺が固定されているローラ１５から離れる方向に回動させることにより、シェード１４がシェード格納部１６から引き出され、デッキ２３上に張り渡されることになる。シェード１４部分のデッキ２３からの高さは一定であり、シェード１４による天井は斜めになっていないため、シェード１４下の空間では天井の高さを気にすることなく活動することができる。また、シェード１４による天井が斜めになっていないので、窓２１からの視界がシェード１４によって遮られることがなく、室内の人も屋外の景色を十分に楽しむことができる。
【００５１】
また、作業者一人でアーム１０を回動させて簡単にシェード１４を張り出すことができるので、日よけを用いる上での面倒さがあまりなく、気軽に日よけを張り出し、不要時は格納できる。シェード１４格納時においても、シェード１４はシェード格納部１６に格納されるので、すっきりとコンパクトな状態となる。加えて、アーム１０については、デッキ２３の両端に第２アーム部１２は直立するだけであるため、デッキ２３の領域を分断することがなく、日よけ１不使用時においてもデッキ２３の全体を制約なく使用することができる。
【００５２】
また、アーム１０の長さによって、シェード１４を張り出す面積は大きくできるため、遮光したい領域に応じて自由に設定することができる。
【００５３】
（第２実施形態）
第１実施形態では、第２アーム部１２は、シェード１４張り出し時にデッキ２３上に直接載置される形態であった。本実施形態では、デッキ２３上に溝２４を設け、この溝２４内に第２アーム部１２が入る形態とした。
【００５４】
図７は、本実施形態の日よけ１を示す図であり、同図（ａ）はシェード１４格納状態の日よけ１を示す模式的斜視図であり、同図（ｂ）は、シェード１４を張り出した時の溝２４部分を示す模式的断面図である。
【００５５】
図７に示すように、溝２４がデッキ２３に設けられており、この溝２４は、シェード１４張り出し時に、第２アーム部１２が位置する部分全体に設けられている（シェード１４張り出し時のアーム１０の各部位の位置については、図１を参照。）。同図（ｂ）に示すように、溝２４は、第２アーム部１２は入る程度の深さ及び幅となっている。
【００５６】
シェード１４を張り出す上で、上述したようにアーム１０を回動させるのであるが、この溝２４は、アーム１０の角部１０ａが到達する箇所２４ａへのガイドとなり、アーム１０の第２アーム部１２が所定位置から外れてデッキ２３上に載置され、シェード１４が斜めに曲がって引き出されることを防止する。このように、溝２４によるガイドがあるため、簡単に正しい位置に第２アーム部１２を倒すことができ、常に適切にシェード１４を張り出すことができる。また、第２アーム部１２は溝２４によって移動が制限されるので、第２アーム部１２を追加部材でデッキ２３に固定することなく、第２アーム部１２の位置を固定できる。したがって、追加部材無しに、風等により日よけ１が動くことを抑制できる。
【００５７】
また、シェード１４が適切な位置に張り出されているため、シェード１４格納時にもローラ１５にシェード１４が斜めに巻き込まれることなく、適切に格納されることとなる。
【００５８】
（第３実施形態）
本実施形態では、アーム１０へのシェード１４の固定について、より安定性をもって固定し、かつ、シェード１４張り出し時のアーム１０の安定性を向上させたものを説明する。
【００５９】
図８は本実施形態のアーム１０を示す模式的斜視図であり、同図（ａ）は一対のアーム１０と、両者の間に渡るバー１７とを示す模式的斜視図であり、同図（ｂ）は、シェード１４を張り出した時のシェード１４とアーム１０とバー１７を示す模式的部分斜視図であり、同図（ｃ）はシェード１４のバー１７に巻きつけられる他辺部分の模式的展開図である。
【００６０】
本実施形態のアーム１０は、第１実施形態と同様にスチール製の円柱を角部１０ａで９０度に屈曲させて、第１アーム部１１と第２アーム部１２と形成しているものである。具体的には、アーム１０は、内部が空洞の円管で作られており、図８（ａ）に示すように、ＸＹ平面で略９０度に屈曲されて角部１０ａを形成している。本実施形態では、さらに第１アーム部１１の第１端１１ａがＸＺ平面において略９０度に屈曲されて角部１０ｂを形成してバー１７が伸びている。すなわち、一対のアーム１０は、バー１７によって、一体の構成となっている。
【００６１】
バー１７は、アーム１０と同様の太さの円管であり、両端がそれぞれ、角部１０ｂを介して左右に位置する第１アーム部１１の第１端１１ａと上述のように一体となっている。
図８（ｂ）に示すように、このバー１７は、シェード１４の他方端に固定されている。すなわち、バー１７は、アーム１０とシェード１４との固定機能を果たすものである。具体的には、図８（ｂ）に示すように、シェード１４の他辺（他方端）は、バー１７に巻き付けて、内部にバー１７が挿通した形で輪状に固定できる構造となっている。本実施形態では、図８（ｃ）に示すように、シェード１４の他辺には、一対の面ファスナー１４ａ，１４ｂが付けられている。そして、バー１７にシェード１４の他辺を巻き付けて、上下からオスの面ファスナー１４ａとメスの面ファスナー１４ｂを張り合わせることによって、バー１７にシェード１４を固定する。このようにシェード１４の他辺全体がバー１７に固定されることによって、シェード１４とアーム１０の第１端１１ａは固定関係となる。
【００６２】
なお、本実施形態では、面ファスナー１４ａ，１４ｂで固定する形態としたが、本発明はこれに限らず、スナップボタンなど公知の様々な手法で固定する形であればよい。
【００６３】
このように、シェード１４の他辺にバー１７が挿通されていることにより、シェード１４は他辺の角だけでなく、辺全体がバー１７にしっかりと固定されるため、風等でばたつくことが抑制される。
【００６４】
また、バー１７によって、一対のアーム１０は一体化されるので、シェード１４張り出し時、収納時にアーム１０を回動させる上で、シェード１４に負荷をかけることなく、左右のアーム１０を連動させることができる。
【００６５】
（第４実施形態）
図９は本実施形態の日よけ１を示す側面図であり、実線部分はシェード１４が格納された時のアーム１０の位置を示し、破線部分はシェード１４を張り出した時のアーム１０の位置を示す側面図である。
【００６６】
図示しないが、本実施形態における日よけ１は、第１実施形態、第２実施形態同様に、日よけしたい領域であるデッキ２３の左右にアーム１０があり、その間にシェード１４が渡るような構成となっている。
【００６７】
第１実施形態では、シェード１４格納時は、第２アーム部１２が直立し、第１アーム部１１が水平方向に位置する構造となっている（図３参照。）。シェード１４を窓２１の上部に位置させるとなると、第１実施形態の構造では、第２アーム部１２は窓２１の高さ以上の長さが必要となる。そしてシェード１４張り出し時は、デッキ２３領域は第２アーム部１２の長さＬ２と第１アーム部１１の長さＬ１の和以上の奥行きが必要となる。デッキ２３部分にこれほどの奥行きを確保できない場合に、本実施形態の日よけ１は活用できる。
【００６８】
図９に示すように、本実施形態の日よけ１は、アーム１０の固定具１３からアーム１０が回動できる領域に、床面からシェード１４の起点までの高さＨ１１に相当する長さを確保できない。そこで、シェード格納時（図中実線で示す側面図）は、第２アーム部１２１は直立せず、第１アーム部１１１と第２アーム部１２１とがそれぞれ斜めになった状態で高さＨ１１相当となるような構成となっている。
【００６９】
具体的には、本実施形態の第２アーム部１２１の長さＬ１２と、シェード１４までの高さの関係は、
Ｌ１２＝Ｈ１１／２
となっている。そして、固定具１３の位置は、壁面２３から長さＬ１２１の地点である。
【００７０】
第１アーム部１１１から第２アーム部１２１へは直角に屈曲されており、角部１０ａを補強するための補強部材１８が設けられている。固定具１３は第１実施形態と同様の構成となっている。
【００７１】
シェード１４が格納されている時は、第１アーム部の第１端１１１ａと、第２アーム部１２１の第２端１２１ｂとの２か所が支持されることにより、アーム１０は図９の実線で示す位置で固定されることとなる。シェード１４が引き出される時は、第１実施形態と同様に第２アーム部１２１がデッキ２３の床面に到達するまでアーム１０が回動される。そして、図９破線で示す位置で固定されることとなる。
【００７２】
このように、第２アーム部１２１の長さが短いため、日よけ１を伸張する領域の壁２３からの奥行きが狭い場合も、シェード１４からなる天井までの高さが十分に確保された遮光空間を形成することができる。
【００７３】
（第５実施形態）
図１０は、本実施形態の日よけ１を示す側面図であり、実線部分はシェード１４が格納された時のアーム１０の位置を示し、破線部分はシェード１４を張り出した時のアーム１０の位置を示す側面図である。
【００７４】
図示しないが、本実施形態における日よけ１は、第１実施形態、第２実施形態同様に、日よけしたい領域であるデッキ２３の左右にアーム１０があり、その間にシェード１４が渡るような構成となっている。
【００７５】
本実施形態の日よけ１は、第４実施形態よりもさらに日よけ１を伸張する領域の壁２３からの奥行きが短い場合にも適用可能な構成となっている。すなわち、第１アーム部１１２の長さＬ２１は、設置可能な奥行きに合わせた長さとなっている。したがって、奥行きが短ければ、第１アーム部１１２の長さＬ２１も短くなる。なお、本実施形態におけるアーム１０は、第１アーム部１１２と第２アーム部１２２とが直交する位置関係にあるのは、第１実施形態から第３実施形態までと同様である。
【００７６】
本実施形態では、第１アーム部１１２の第１端１１２ａにシェード１４の他方端が固定されているのではなく、第１アーム部１１２と第２アーム部１２２とで構成するアーム１０の角部１０ａにシェード１４の他方端が固定されている。
【００７７】
そして、図１０の破線で示すように、シェード１４伸張時には、第２アーム部１２２はデッキ２３の床面まで倒されるのではなく、適当な位置で止められる。
【００７８】
固定具１３１は所定角度単位でストッパーが付いている回転体など公知のストッパー付き固定具であればよい。この固定具１３１によって、第２アーム部１２２は所定角度で固定され、この第２アーム部１２２の回動範囲までシェード１４が引き出されることとなる。固定角度は、日よけしたい領域に合わせて適宜決定される。
【００７９】
図１０の実線で示すように、シェード１４格納時は、第１アーム部１１２の第１端１１２ａが壁２３に到達する位置までアーム１０が戻される。シェード１４の他方端は、角部１０ａに固定されているため、ローラ１５からアーム１０の角部１０ａまでの長さのシェード１４は巻き取られずに残ることとなる。
【００８０】
このように、シェード１４伸張時に、第２アーム部１２２をデッキ２３の床面まで到達させずに途中の角度で固定することにより、デッキ２３からシェード１４までの高さ、すなわちシェード１４による天井高は十分に確保した状態で、奥行きが短い空間においても日よけ１を張ることができる。
【００８１】
（第６実施形態）
図１１は、本実施形態の日よけ１を示す側面図であり、実線部分はシェード１４が格納された時のアーム１０の位置を示し、破線部分はシェード１４を張り出した時のアーム１０の位置を示す側面図である。
【００８２】
図示しないが、本実施形態における日よけ１は、第１実施形態、第２実施形態同様に、日よけしたい領域であるデッキ２３の左右にアーム１０があり、その間にシェード１４が渡るような構成となっている。
【００８３】
本実施形態におけるアーム１０は角部を有さない俸となっている。そして第１端１０１ａにシェード１４の他方端が固定されており、第２端１０１ｂは、第５実施形態と同様に、所定角度単位で止められる固定具１３１に固定されている。
【００８４】
本実施形態においても、アーム１０は、固定具１３１によって固定された第２端１０１ｂを支点として、シェード１４を張り出したい分だけ傾けられる（回動される）。そして、日よけ１が不要な時は、シェード１４がシェード格納部１６内に格納され、アーム１０は、第１端１０１ａと第２端１０１ｂが固定されていることにより、斜めに傾いた状態で支持固定される。
【００８５】
第５実施形態と同様に、遮光したい領域における壁２３からの奥行きがあまりない場合であっても、シェード１４までの高さを十分に確保した日よけ１を張ることができる。
【００８６】
第４実施形態から第６実施形態を通して、奥行きがあまり確保できない領域においても、シェード１４までの高さを十分に確保した日よけ１を設置することができる。また、いずれの実施形態においても、シェード１４の張り出し、格納は、アーム１０を回動させるだけで行うことができ、簡単な操作で手軽に日よけ１を張り出すことができる。また、シェード１４を格納すれば、デッキ２３の左右端にアーム１０が立設するだけとなり、デッキ２３の空間を制限なく活用することができる。
【００８７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００８８】
１…日よけ
１０…アーム
１０ａ…アームの角部
１０１ａ…アームの他の例の第１端
１０１ｂ…アームの他の例の第２端
１１…第１アーム部
１１ａ…第１アーム部の第１端（第１端）
１１ｂ…第１アーム部の第２端
１１１…第１アーム部の他の例
１１１ａ…第１アーム部の他の例の第１端（第１端）
１１１ｂ…第１アーム部の他の例の第２端
１１２…第１アーム部の他の例
１１２ａ…第１アーム部の他の例の第１端（第１端）
１１２ｂ…第１アーム部の他の例の第２端
１２…第２アーム部
１２ａ…第２アーム部の第１端
１２ｂ…第１アーム部の第２端（第２端）
１２ｃ…屈曲部
１２１…第２アーム部の他の例
１２１ａ…第２アーム部の他の例の第１端
１２１ｂ…第１アーム部の他の例の第２端（第２端）
１２２…第２アーム部の他の例
１２２ａ…第２アーム部の他の例の第１端
１２２ｂ…第１アーム部の他の例の第２端（第２端）
１３…固定具
１３１…固定具の他の例
１４…シェード
１４ａ，１４ｂ…面ファスナー
１５…ローラ（軸体）
１６…シェード格納部
１７…バー
１８…補強部材
２１…窓（吐き出し窓）
２２…壁（壁面）
２３…デッキ
２４…溝
Ｌ１…アームの第１端から角部までの長さ
Ｌ２…アームの角部から第２端までの長さ
Ｈ１…アームの第２端が固定される面から前記シェードの一方端が固定される位置までの高さ
【図１】
2020070546.tif 000003
【図２】
2020070546.tif 000004
【図３】
2020070546.tif 000005
【図４】
2020070546.tif 000006
【図５】
2020070546.tif 000007
【図６】
2020070546.tif 000008
【図７】
2020070546.tif 000009
【図８】
2020070546.tif 000010
【図９】
2020070546.tif 000011
【図１０】
2020070546.tif 000012
【図１１】
2020070546.tif 000013